(57)【要約】【解決手段】自己完結型のバキューム装置は、破片を受け入れる空気吸入口を有する筐体と、空気吸入口と連通し、受け入れられた破片を収容する筐体内のダストバッグと、空気吸入口と連通し、空気吸入口で吸引力を生成し、破片をダストバッグに引き込む吸引モータと、吸引モータと連通し、バキューム装置から空気を排出する空気排出口と、バキューム装置を作動させるオン／オフスイッチとを備え、バキューム装置は、空気吸入口が床面付近に位置するように空洞内に取り付け可能であり、空気吸入口に向けて掃かれた破片は、オン／オフスイッチを作動させると、ダストバッグに引き込まれる。【選択図】図１４
2014503266.tif 000002
【特許請求の範囲】
【請求項１】
自己完結型のバキューム装置であって、
破片を受け入れる空気吸入口を有する筐体と、
前記空気吸入口に連通し、受け入れられた破片を収容する、前記筐体内の収容手段と、
前記空気吸入口に連通し、前記空気吸入口で吸引力を生成して、前記破片を前記収容手段に引き込む吸引手段と、
前記吸引手段に連通し、前記バキューム装置から空気を排気する空気排出口と、
前記バキューム装置を作動させるオン／オフスイッチと
を備え、
前記筐体は、前記空気吸入口が床面に隣接して位置付けられるように、空洞内に取り付けることができる
バキューム装置。
【請求項２】
前記オン／オフスイッチは、キッカースイッチを含む請求項１に記載の自己完結型のバキューム装置。
【請求項３】
前記オン／オフスイッチは、センサースイッチを含む請求項１に記載の自己完結型のバキューム装置。
【請求項４】
前記センサースイッチは、ＩＲセンサースイッチ、電子センサースイッチ、および磁気センサースイッチからなる群から選択される請求項３に記載の自己完結型のバキューム装置。
【請求項５】
前記収容手段は、前記筐体に取り外し可能に取り付けられた収容クレードルを有する請求項１から４のいずれか１項に記載の自己完結型のバキューム装置。
【請求項６】
前記収容手段は、前記収容クレードル内に取り外し可能に取り付けられたダストバッグをさらに有する請求項５に記載の自己完結型のバキューム装置。
【請求項７】
前記収容手段は、前記収容クレードルに取り外し可能に取り付けられたバッグ無し容器をさらに有する請求項５に記載の自己完結型のバキューム装置。
【請求項８】
前記吸引手段は、吸引モータを含む請求項１から７のいずれか１項に記載の自己完結型のバキューム装置。
【請求項９】
前記吸引手段は、一対のモータを有する請求項８に記載の自己完結型のバキューム装置。
【請求項１０】
前記吸引モータは、モータチャンバに収容される請求項８または９に記載の自己完結型のバキューム装置。
【請求項１１】
前記モータチャンバは、前記収容手段の後方に配置される請求項１０に記載の自己完結型のバキューム装置。
【請求項１２】
前記空気排出口は、前記空気吸入口から延びる直線上に配置され、前記空気吸入口および前記空気排出口が同じ直線上に配置される関係となっている請求項１から１１のいずれか１項に記載の自己完結型のバキューム装置。
【請求項１３】
前記空気排出口は、前記空気吸入口からオフセットされている請求項１から１１のいずれか１項に記載の自己完結型のバキューム装置。
【請求項１４】
前記空気排出口は、前記バキューム装置の側面から空気を排出するべく、前記空気吸入口から約９０度オフセットされている請求項１３に記載の自己完結型のバキューム装置。
【請求項１５】
前記空気吸入口は、前記筐体に取り外し可能に取り付けられた正面ヘッド部の一部として形成され、前記空気吸入口は、前記正面ヘッド部を介して前記収容手段と流体連通可能である請求項１から１４のいずれか１項に記載の自己完結型のバキューム装置。
【請求項１６】
前記空気吸入口は、前記正面ヘッド部の後方延伸ダクトを介して前記収容手段と流体連通可能である請求項１５に記載の自己完結型のバキューム装置。
【請求項１７】
前記空気吸入口は、前記正面ヘッド部のボアを介して前記収容手段と流体連通可能である請求項１５に記載の自己完結型のバキューム装置。
【請求項１８】
前記正面ヘッド部と前記筐体との間に取り付け可能なフェースプレートをさらに備える請求項１５から１７のいずれか１項に記載の自己完結型のバキューム装置。
【請求項１９】
前記フェースプレートは、前記バキューム装置を現場に可逆的に係合させる手段を有する請求項１８に記載の自己完結型のバキューム装置。
【請求項２０】
前記バキューム装置を現場に固定するための調整可能安定化手段を前記筐体にさらに備える請求項１から１９のいずれか１項に記載の自己完結型のバキューム装置。
【請求項２１】
前記収容手段と前記吸引手段との間に取り付けられた汚れフィルタをさらに備える請求項１から２０のいずれか１項に記載の自己完結型のバキューム装置。
【請求項２２】
前記空気吸入口、前記筐体、前記収容手段、前記吸引手段、および前記空気排出口は、薄型のバキューム装置を規定するように構成される請求項１から２１のいずれか１項に記載の自己完結型のバキューム装置。
【請求項２３】
前記筐体は、戸棚の下の空洞に取り付け可能である請求項１から２２のいずれか１項に記載の自己完結型のバキューム装置。
【請求項２４】
前記戸棚は、食器棚である請求項２３に記載の自己完結型のバキューム装置。
【請求項２５】
床面から破片を除去する方法であって、
自己完結型のバキューム装置を設置する段階を備え、
前記バキューム装置は、
破片を受け入れる空気吸入口を有する筐体と、
前記空気吸入口と連通し、受け入れられた破片を収容する、前記筐体内の収容手段と、
前記空気吸入口と連通し、前記空気吸入口で吸引力を生成し、前記破片を前記収容手段に引き込む吸引手段と、
前記吸引手段と連通し、前記バキューム装置から空気を排出する空気排出口と、
前記バキューム装置を作動させるオン／オフスイッチと
を備え、
前記方法は、前記床面の付近で破片を前記空気吸入口の方向に払い、前記オン／オフスイッチを作動させて、前記空気吸入口を介して前記破片を前記収容手段に吸引する段階をさらに備える
方法。
【請求項２６】
前記オン／オフスイッチは足で作動される請求項２５に記載の床面から破片を除去する方法。
【請求項２７】
前記オン／オフスイッチはセンサー作動される請求項２５または２６に記載の床面から破片を除去する方法。
【請求項２８】
前記自己完結型のバキューム装置は、戸棚の下の空洞に設置される請求項２５から２７のいずれか１項に記載の床面から破片を除去する方法。
【請求項２９】
前記戸棚は、家庭の食器棚である請求項２８に記載の床面から破片を除去する方法。
【発明の詳細な説明】
【技術分野】
【０００１】
本発明は、バキューム装置に関し、特に、床面を清掃するための自己完結型バキューム装置に関する。
【背景技術】
【０００２】
住居の床、産業施設の床等の集中的に使用される床面から埃、破片、および汚れを除去する際には困難が生じうる。たとえば、年配の人々、障害を持つ人々等は、住居の床を清掃するとき、屈んで掃除機をかけることが困難となり得るし、食品調理業、理髪業、木工品・金属細工物工業等の産業・小売り環境では、かなりの量の破片が集積し得る。
【０００３】
一般的に、床面から埃を除去するには、住居においても産業においても電気掃除機が使用されてきた。しかし、周知の電気掃除機には、多くの欠点がある。たとえば、周知の持ち運び式電気掃除機は、住居内の閉じた空間では特に使用しづらく、また、身体に障害を持つ使用者にとっては、電気掃除機を持ち上げて操作するのは、依然として困難である。清掃目的でセントラルバキュームシステムも使用される。しかし、このバキュームシステムは、設置するのに高い額がかかり、特に身体に障害を持つ人にとっては、使用がやはり困難である。さらに、セントラルバキュームシステムは、修繕が困難かつ非常に高額であり、修繕時には深刻な損壊がともなう。
【発明の概要】
【課題を解決するための手段】
【０００４】
本発明によると、自己完結型のバキューム装置であって、破片を受け入れる空気吸入口を有する筐体と、空気吸入口と連通し、受け入れられた破片を収容する、筐体内の収容手段と、空気吸入口と連通し、空気吸入口で吸引力を生成して、収容手段に破片を引き込む吸引手段と、吸引手段と連通し、バキューム装置から空気を排出する空気排出口と、バキューム装置を作動させるオン／オフスイッチとを備え、筐体は、空気吸入口が床面付近に位置するよう空洞内に取り付け可能であるバキューム装置が提供される。
【０００５】
好ましくは、オン／オフスイッチは、キッカースイッチである。または、オン／オフスイッチは、センサースイッチである。センサースイッチは、ＩＲセンサースイッチ、電子センサースイッチ、および磁気センサースイッチからなる群から適宜選択される。
【０００６】
好ましくは、収容手段は、筐体内に取り外し可能に取り付けられる収容クレードルを有する。より好ましくは、収容手段は、クレードルに取り外し可能に取り付けられるダストバッグをさらに有する。または、収容手段は、クレードルに取り外し可能に取り付けられるバッグ無し容器をさらに有する
【０００７】
吸引手段は、適宜、吸引モータである。吸引手段は、一対のモータであってよい。
【０００８】
好ましくは、吸引モータは、モータチャンバに収容される。より好ましくは、モータチャンバは、収容手段の後方に配置される。
【０００９】
本発明の一実施形態では、空気排出口は、空気吸入口から直線的に配置され、空気吸入口と空気排出口とが直線的関係にある。
【００１０】
本発明の別の実施形態では、空気排出口は、空気吸入口からオフセットされている。好ましくは、空気排出口は、空気吸入口から約９０度オフセットされ、空気はバキューム装置の側面から排出される。
【００１１】
有利に、空気吸入口は、筐体に取り外し可能に取り付けられた正面ヘッド部の一部として形成され、正面ヘッド部を介して収容手段と流体連通する。
【００１２】
好ましくは、空気吸入口は、正面ヘッド部の後方延伸ダクトを介して収容手段と流体連通する。より好ましくは、空気吸入口は、正面ヘッド部のボアを介して収容手段と流体連通する。
【００１３】
自己完結型のバキューム装置は、適宜、正面ヘッド部と筐体との間に取り付け可能なフェースプレートを備える。このましくは、フェースプレートは、バキューム装置を現場に可逆的に係合させる手段を有する。
【００１４】
本発明の好適な実施形態では、バキューム装置は、バキューム装置を現場に固定するための調整可能安定化手段を筺体に備える。
【００１５】
収容手段と吸引手段との間に、適宜、汚れフィルタが取り付けられる。
【００１６】
有利に、空気吸入口、筺体、収容手段、吸引手段、および空気排出口は、薄型のバキューム装置を規定するよう構成されている。
【００１７】
本発明の好適な実施形態では、筺体は、戸棚の下の空洞に取り付け可能である。より好ましくは、戸棚は、食器棚である。
【００１８】
本発明は、上記の自己完結型のバキューム装置を床面付近に設置する段階と、破片を装置に向けて掃く段階と、装置を作動させて破片を装置に吸引する段階とを備える床面から破片を除去する方法にも拡張される。
【００１９】
より詳細には、本発明は、床面から破片を除去する方法であって、破片を受け入れる空気吸入口を有する筺体と、空気吸入口と連通し、受け入れられた破片を収容する、筺体内の収容手段と、空気吸入口と連通し、空気吸入口で吸引力を生成して、破片を収容手段に引き込む吸引手段と、吸引手段と連通し、バキューム装置から空気を排出する空気排出口と、バキューム装置を作動させるオン／オフスイッチとを備える自己完結型のバキューム装置を床面付近に設置する段階と、破片を空気吸入口に向けて掃く段階と、オン／オフスイッチを作動させて、空気吸入口を介して破片を収容手段に吸引する段階とを備える方法にも拡張される。
【００２０】
好ましくは、オン／オフスイッチは、足で作動される。または、オン／オフスイッチは、センサー作動される。
【００２１】
好適な実施形態では、自己完結型のバキューム装置は、戸棚の下の空洞に設置される。より好ましくは、戸棚は家庭の食器棚である。
【００２２】
したがって、本発明は、吸入口を有する筺体と、集められた物質を収容する収容手段と、吸入口で吸引力を生成する吸引手段とを備える自己完結型のバキューム装置を提供する。自己完結型のバキューム装置は、筺体が、壁の中、または、たとえば、幅木もしくはカップボード等の別の構造の中または下に収容されるように、床面付近に設置される設計の空気吸入口を備える。
【００２３】
筺体は、吸入口の背後に直線的に配置された吸引モータを有する長方形の容器と、吸入口と吸引モータとの間に配置された収容手段とを有する。別の好適な実施形態では、吸引モータは、直線的に配置しなくてよく、吸入口から逸れるように配置してよい。
【００２４】
空気吸入口は、取り外し可能な正面ヘッド部の一部として形成される。正面ヘッド部は、たとえば、バッグ等の収容容器を係合させる後方突出フランジを有する。
【００２５】
正面ヘッド部は、筺体に取り外し可能に係合させることができる。本発明の別の実施形態では、正面ヘッド部は、完全に取り外し可能でなくてよく、あけることが可能であってよく、本体に蝶番で留められてよい。
【００２６】
正面ヘッド部は、筺体に摩擦嵌めまたは締まり嵌めされてよい。
【００２７】
筺体は、吸入口で吸引力を生成する２つの隣り合ったモータを収容することができる。所望であれば、単一のモータを使用してもよい。
【００２８】
筺体はその正面に、モータに電力を供給するスイッチ手段を有し、正面ヘッド部は、好ましくは、吸入口の上にフードフランジを有する。
【００２９】
吸入口は、湾曲した正面縁を有し、本発明の別の好適な実施形態では、装置は、収容バッグを支持するための取り外し可能なクレードルを底面に有する筺体を備える。底面のクレードルには、正面ヘッド部が取り付けられている。
【００３０】
吸引モータは、筺体内の底面クレードルの後方に取り付けられる。吸引モータは、下部フレームの導管内において、底部クレードルの横方向に取り付けられ、吸引力は収容バッグに弓形導管を介して適用される。弓形導管は、約９０度屈曲している。
【００３１】
吸引モータおよび収容バッグを封入し、弓形導管の上部を形成する上面カバーが下部フレームに取り付けられ、吸入口は、正面ヘッド部の一部として形成される。正面ヘッド部は、収容バッグを係合させることができる取り付け手段を有する。
【００３２】
正面ヘッド部は、筺体に取り外し可能に取り付けることができ、筺体に摩擦嵌めまたは締まり嵌めすることができ、筺体の正面には、モータに電力を供給するスイッチ手段が備えられる。
【００３３】
本発明のバキューム装置は、領域から汚れおよび埃を効率的、効果的、かつコスト効率的に除去する未解決の課題に対する優れた解決を提供する。バキューム装置は、食品調理、理髪業等の商工業的環境および家庭、特に台所において有用である。バキューム装置は、便利で信頼性が高く、使用が簡単であり、使用者は、汚れ、破片等を空気吸入口に向けて掃くだけでよく、屈んだりすることなくバキューム装置を作動させることができる。本発明は、年配の人々、障害を持った人々、および運動障害を持つ人々には、特に有益である。本発明は、また、商業的環境で、人間およびペットの毛を除去するのに有用である。
【００３４】
本発明のバキューム装置は、コンパクトかつ自己完結的であり、したがって、閉じた空間に取り付けることができ、損壊、損傷、および高額の取り付けコストを発生させずに修繕することができる。さらに、セントラルバキュームシステムと異なり、本発明のバキューム装置は、コスト効率的な方法で、建物内の複数の位置において簡単に取り付けおよび／または修繕を行うことができる。特に、住居の台所等では、本発明のバキューム装置は、従来使用されてこなかった、キッカーボードの後ろ及び戸棚の下のデッドスペースを活用する。
【００３５】
さらに、本発明のバキューム装置の空気排出口が装置の側面に設けられる場合、装置は、装置が挿入される空洞の奥行きに制約されず、これは、戸棚の下等において、奥行きのある空間が貴重であり、幅がある空間のほうが得られやすい場合に特に価値がある。上記したように、空気排出口は、装置の使用目的における空間節約要件にしたがって、必要に応じて配置を決めることができる。たとえば、９０度の角度が空間節約性が高く効率的であることがわかっているが、必要に応じてその他の角度とすることができる。
【図面の簡単な説明】
【００３６】
本発明を、添付の図面を参照し、例示として記載する。
【図１】二重吸引モータが取り付けられた本発明に係る床面清掃用自己完結型バキューム装置の第一実施形態を上方および一側面側から見た斜視図である。
【図２】図１の自己完結型バキューム装置を正面側、上方、および一側面側から見た斜視図であり、正面ヘッド部を除去し、上面カバーを除去して、バキューム装置の内部を示す。
【図３】図１のバキューム装置を背面側、上方、および一側面側から見た斜視図であり、上面カバーが除去され、正面のヘッド部が定位置にある。
【図４】バキューム装置を上方および一側面側から見た斜視図であり、上面カバーが除去され、集塵バッグがバキューム装置に取り付けられている。
【図５】装置の正面ヘッド部を一方側から見た拡大書面斜視図である。
【図６】本発明に係る自己完結型バキューム装置の第二実施形態を上方および一側面側から見た斜視図であり、バキューム装置には、空気がバキューム装置の側面から排気されるように弓形となった導管に設けられた単一の吸引モータが設けられる。
【図７】図６のバキューム装置を上方および一側面側から見た正面斜視図であり、筐体の上部シェルを取り外して、バキューム装置の下部シェルにあるバッグを示す。
【図８】図７のバキューム装置を上方および一側面側から見た背面斜視図である。
【図９】図８のバキューム装置を上方および反対側面側から見た背面斜視図であり、バッグを取り外して、筐体の下部シェルにあるバッグ台を示す。
【図１０】図６のバキューム装置を上方および一側面側から見た正面斜視図であり、バッグ台およびバッグフィルタがバキューム装置から取り外されている。
【図１１】図１０のバッグ台を上方および一側面側から見た拡大背面斜視図である。
【図１２】図６のバキューム装置を上方および一側面側からみた分解正面斜視図である。
【図１３】図６のバキューム装置を上方および一側面側からみた分解背面斜視図である。
【図１４】住居のキッカーボードに現場取り付けされた図６のバキューム装置を上方および一側面側から見た正面斜視図である。
【図１５】図１４のバキューム装置およびキッカーボードを上方および一側面側からみた背面斜視図である。
【発明を実施するための形態】
【００３７】
図１から図５は、本発明に係る薄型かつコンパクトな自己完結型またはスタンドアロンのバキューム装置の第一実施形態を示しており、バキューム装置は、全体を参照番号１で示し、フロアレベルでの取り付けに適しており、バキューム装置の方向へと掃かれた埃をバキューム装置に吸引かつ集積することができる。以下の記載では、住居でのバキューム装置の取り付けおよび使用について述べる。しかし、上記したように、本発明のバキューム装置は、住居、商業、および産業環境での使用に適している。さらに、本発明のバキューム装置は、所望であれば、このような環境で専用に使用するべく適合させることができる。
【００３８】
図１から図５に示すように、自己完結型バキューム装置１は、下方壁面３、下方壁面３からそれぞれ直立する第１側方壁面４および第２側方壁面５、並びにおなじく下方壁面３からそれぞれ直立する正面壁面７および背面壁面６を有する外側シェルまたは筐体２によって構成される。筐体２には、第１側方壁面４および第２側方壁面５と、正面壁面７および背面壁面６とに固定された取り外し可能な上面カバー８が取り付けられている。
【００３９】
本発明のバキューム装置１は、目的とする用途にしたがって寸法を決定することができることが当業者には理解されよう。たとえば、バキューム装置１を台所で使用し、キッカーボードの後ろに備え付ける本実施形態の目的では、筐体は、通常、奥行きが約４５０ｍｍであり、幅が約２４０ｍｍであり、高さが約９７ｍｍである。したがって、筐体２の高さを、筐体の幅の５０％未満とすることで、バキューム装置１は、キッカーボード、または、住居のその他の場所、たとえば、戸棚の下、幅木の中、もしくは実際に壁の中等に収容することができるコンパクトで薄型の筐体となる。
【００４０】
取り外し可能な正面ヘッド部９が正面壁面７に搭載されている。バキューム装置をキッカーボードに取り付ける場合、正面ヘッド部は、通常、キッカーボードと実質的に面一となる。正面ヘッド部９には、床の高さの部分に、空気、埃、および破片をバキューム装置１内に吸引するための弓形の空気・埃吸入口１０が設けられている。吸入口１０は、正面ヘッド部９において、張り出して把持することができるフード１１の下に規定されている。以下により十分に説明するが、取り外し可能な正面ヘッド部９を筐体２から取り外すべく、使用者はフード１１を把持することができる。
【００４１】
以下により十分に説明するが、バキューム装置１に電力を供給するための押下可能なオン／オフキックスイッチ１２が、正面ヘッド部９に隣接して設けられている。オン／オフキックスイッチ１２は、足で操作することができ、したがって、使用者はバキューム装置１を作動させるべく屈む必要がない。
【００４２】
内部的には、特に図２から図４に示すように、筐体２には、吸入口１０と連通し、筐体２に使い捨てダストバッグ１４を受容して保持する畝状ダストバッグ収容クレードル１３が正面壁面７に隣接して規定されている。筐体２には、さらに、ダストバッグ収容クレードル１３の背面側に位置し、筐体の背面壁面６と内部壁面１６との間において、筐体２の第１側方壁面４および第２側方壁面５との間に延在するモータチャンバ１５が規定されている。
【００４３】
モータチャンバ１５は、空気、埃、および破片を、正面ヘッド部９の吸入口１０を介して、収容クレードル１３のダストバッグ１４内に吸引する第１吸引モータ１７および第２吸引モータ１８を収容する。吸引モータ１７および１８は、モータチャンバ１５内で平行に隣り合わせに搭載され、筐体の下方壁面３から直立するフランジ１９によって部分的に隔離されている。吸引モータ１７および１８は、内部壁面１６に規定された第１吸引開口２０および第２吸引開口２１を介してダストバッグ１４と流体連通している。吸引開口２０および２１はそれぞれ、汚れフィルタ２２が備え付けられており、埃および破片がモータチャンバに侵入してモータ１７および１８が損傷しないように防止される。
【００４４】
筐体２の背面壁面６には、それぞれ吸引モータ１７および１８からの空気を流出可能にする空気排出口２３および２４が設けられている。排出口２３および２４には、それぞれ、任意の花粉フィルタ２５が設けられている。
【００４５】
収容クレードル１３のダストバッグ１４は、筐体の正面壁面７に規定された正面開口２６を介して空気吸入口１０と連通可能である。より詳細には、正面開口２６は、正面ヘッド部９上の後方延伸ダクト２７を受容するよう寸法および形状が決定される。したがって、後方延伸ダクト２７は、吸入口１０から収容クレードル１３へと後方に延伸する。ダストバッグ１４は、ダクト２７に取り外し可能に取り付けることができ、ダストバッグ１４は、収容クレードル１３において従来の方法でダクト２７に固定することができる。
【００４６】
上記したように、正面ヘッド部９は、取り外し可能に筐体２の正面壁面７に取り付けられ、ダストバッグ１４を必要に応じて交換できるようになっている。より詳細には、正面ヘッド部９は、正面壁面７の相補的な正面凹部２８に、そして正面開口２６の正面に挿入または嵌め込まれるように形状および寸法が決定される。正面凹部２８は、筐体の第１側方壁面４および第２側方壁面５とそれぞれ連なった第１前方延伸突出部２９および第２前方延伸突出部３０によって規定される。
【００４７】
正面ヘッド部９の第１側方壁面３１および第２側方壁面３２は、第１突出部２９と第２突出部３０との間で受け取られるよう形状および構成が決定されている。第１突出部２９および第２突出部３０は、それぞれ内側に設けられた面３３および３４を有し、それらには、それぞれ、一対の引き込み可能突起３５が設けられる。突起３５は、第２突出部３０上の引き込みボタン３６によって引っ込ませることができる。正面ヘッド部９の第１側方壁面３１および第２側方壁面３２には、引き込み可能突起３５上に乗るよう位置付けられ、正面ヘッド部を筐体２の正面凹部２８の定位置に保持する一対の側方延伸弾性突起３７が設けられる。正面ヘッド部９を筐体２から取り外すには、第２突出部３０の引き込みボタン３６を押して引き込み可能突起３５を単に引っ込ませるだけであり、それにより正面ヘッド部９は筐体２から取り外される。
【００４８】
上記したように、バキューム装置１は、台所において、キッカーボードの適切な大きさの空洞、または、食器棚の下等に設置することができる。バキューム装置１を現場に設置固定する補助として、バキューム装置には、筐体の側方壁面４および５に大きさ調整可能フィート３８が設けられている。調整可能フィート３８は、側方壁面４および５上のブラケット４１に保持された、プレート状ヘッド４０を持つ引き出し／引き込み可能ネジ３９によって構成される。ネジ３９は、書斎の床またはバキューム装置を定位置に保持するのに適した床等の面にヘッド４０が当接するまで、各ブラケット４１から引き出し可能となっている。したがって、大きさ調整可能フィート３８によって、筐体２は、現場に設置、安定化、および固定され、空気吸入口１０が埃および破片を受け入れるべく地面または床と同じ高さに位置付けられるように補助される。
【００４９】
上記したように、本実施形態では、吸引モータ１７および１８は、正面ヘッド部９の背後に直接的に、空気吸入口１０と第１排出口２３および第２排出口２４とにより規定される二本の平行な直線軸上で正面ヘッド部とインラインに配置される。空気吸入口と排出口２３よび２４とのインライン配列によって、空気吸入口１０には優れた吸引力が供給され、かつ、大型のモータを１個使用するかわりに２個の小型のモータ１７および１８を使用することにより、所望される場合には、特に薄型の自己完結型バキューム装置１が設けられる。しかし、当業者には理解されるであろうが、以下にさらに記載するように、所望であれば、単一の吸引モータ１７または１８も、本発明の自己完結型バキューム装置に使用することができる。
【００５０】
床面から埃または汚れを除去したい場合、埃を吸入口１０に向けて掃き、オン／オフスイッチ１２を押してバキューム装置をスタートさせるだけでよい。埃は、正面ヘッド部９および後方延伸ダクト２７を介してバキューム装置１に、そしてダストバッグ１４に吸引される。ダストバッグ１４が一杯になったら、引き込みボタン３６を押し、フード１１を把持して引っ張ることで正面ヘッド部９を筐体２から引き出し、ダストバッグ１４を空にする、または交換するべく、収容クレードル１３から取り出すだけである。当業者には理解されようが、バッグが無い形態では、所望であれば、ダストバッグ１４の代わりに再利用可能な容器を使用することができる。
【００５１】
図６から図１５は、本発明の自己完結型バキューム装置１の第二実施形態を示しており、バキューム装置１には、図１から図５のツインの吸引モータ１７および１８の代わりに単一の吸引モータ１７が設けられ、一対の空気排出口２３および２４の代わりに単一の空気排出口２３が設けられる。さらに、以下により詳しく説明するように、本実施形態では、単一の空気排出口２３が、空気吸入口１０からオフセットされており、つまり、図１から図５に示すように単一軸上に配置されておらず、したがって、バキューム装置１は、空気排出口２３を介して、その側部から排気する。同様の参照番号によって同様の部材が示される。
【００５２】
図６から図１５に示すように、自己完結型バキューム装置１は、全体的に、空気吸入口１０を床または地面の高さに有する取り外し可能な正面ヘッド部９を持つ筐体２、筐体２の内部においてダストバッグ１４を保持する収容クレードル１３、収容クレードルの背後において単一のモータ１７を収容するモータチャンバ１５、および、バキューム装置の側部に排気するよう位置付けられた単一の空気排出口２３から構成される。
【００５３】
本実施形態では、筐体２は、下部シェル４２、下部シェル４２上に取り付けられた取り外し可能な上部シェル４３から構成される。下部シェル４２および上部シェル４３は、収容クレードル１３、ダストバッグ１４、およびモータチャンバ１５を収容するよう形状および輪郭が決定されている。筐体２を封止するべく、ガスケットシール４４が下部シェル４２と上部シェル４３との間に設けられる。
【００５４】
筐体２には、さらに、バキューム装置１をたとえば住居の台所に取り付ける場合、キッカーボード４６（図１５参照）に取り付け可能なフェースプレート４５が設けられている。キックスイッチ１２は、フェースプレート４５に設けられている。フェースプレート４５には、正面ヘッド部９を受容するための正面ヘッド部開口４７が設けられている。
【００５５】
正面ヘッド部９には、上縁部４９に枢支可能なハンドル４８が設けられ、それによって正面ヘッド部開口４７を介して筐体２の中に正面ヘッド部９は挿入され、正面ヘッド部９は筐体から取り出される。枢支可能なハンドル４８は、ハンドルを筐体２の定位置に係止させる取り外し可能なラッチ／係止部材５０を有する。ラッチ／係止部材５０は、筐体の上部シェル４３の対応する凹部５２に係合するよう設計された、正面ヘッド部９の上縁部４９上の一対のばね付き留め金（ｓｐｒｕｎｇ  ｃａｔｃｈｅｓ）５１から構成される。ばね付き留め金５１は、枢支可能なハンドル４８を引き寄せてハンドル４８を枢支させ、留め金５１を凹部５２から取り外すことによって、引っ込められる。
【００５６】
本実施形態では、正面ヘッド部９は、収容クレードル１３と一体であり、したがって、収容クレードル１３は、正面ヘッド部９と一緒に、フェースプレート４５の正面ヘッド部開口４７を介して筐体２から取り出すことができる。
【００５７】
図１から図５の後方延伸ダクト２７は、空気吸入口１０と連通する正面ヘッド部９に規定されたボアフランジ５４に囲まれたスルーボア５３に取って代わられている。空気吸入口１０には、床面に座す、または、当接するように位置付けられ、埃および破片が吸入口１０に引き込まれるように補助するトラフ状インサート５８が設けられている。
【００５８】
当業者には周知のばね荷重ダストバッグ１４の取り付け部材５５が正面ヘッド部９に設けられており、ダストバッグ１４を、ダストバッグ１４に設けられたカラー５６でフランジ５４の周囲に取り付ける。また、トレイ状収容クレードル１３には、一連の直立した畝５７が設けられており、空気が筐体２の中を流動するのを促進する。
【００５９】
上記したように、単一の吸引モータ１７は、収容クレードル１３の背後のモータチャンバ１５に搭載されている。図１から図５に記載した実施形態と同様の態様で、吸引モータ１７は、筐体２の下部シェル４２と上部シェル４３との間に規定された（単一の）吸引開口２０を介して格納台１３およびダストバッグ１４と流体連通する。吸引開口２０には、汚れフィルタ２２が取り付けられている。吸引開口２０は、空気吸入口１０の背後に、図１から図５に記載する実施形態と同様の態様で位置する。しかし、本実施形態では、筐体２の下部シェル４２および上部シェル４３は、モータチャンバ１５によって吸引開口２０と吸引モータ１７との間に弓形導管５９が規定されるような形状をしており、モータチャンバ１５（および吸引モータ１７）は、空気吸入口１０および吸引開口２０に対して実質的に垂直な軸上に配置される。その結果、単一の空気排出口２３は、筐体２の第１側方壁面４に位置付けられる。空気排出口２３には、上記したように、花粉フィルタ２５を取り付けることができる。
【００６０】
したがって、本実施形態では、吸引モータ１７が空気吸入口１０および吸引開口２０に対して約９０度の角度で実質的に横に配置され、空気排出口２３が空気吸入口１０からオフセットされる。したがって、ダストバッグ１４は、弓形導管５９を介して横方向に吸引され、したがって、吸引モータは、ダストバッグ１４を通過する空気流の方向に対して直角の空気排出口２３から排気する。
【００６１】
空気が筐体２の側方壁面４から排気されるので、本実施形態は、スペースがプレミアム付きである場合、たとえば、バキューム装置１を挿入する空洞の奥行きが限られており、図１から図５の筐体２の背面壁面６にある空気排出口２３および２４が背面壁面またはその他の構造に隣接するよう設置され、使用時に望ましくない圧力の増大が生じる可能性がある場合における、望ましくない圧力の増大を回避する構成である。
【００６２】
定格が１５ｋＰＡ、ワット数が約６００ワット、および流量が１．４Ｍ３／分のモータが記載の装置には適していることが発見されている。
【００６３】
図６から図１５の実施形態は、図１から図５の実施形態と同様に組み立てられ、たとえば、住居の台所で、キッカーボード４６の一部を取り外し、筐体２をキッカーボード４６の後ろの空洞に挿入し、調整可能フィート３８を適切に位置付けて筐体２が所望の位置に固定されるよう調整することにより、筐体２を戸棚またはカップボードの下に取り付ける。所望の位置では、空気吸入口１０は、床面と同じ高さで係合し、筐体は、使用時に振動が最小化されるように調整可能フィートで固定されているはずである。ダストバッグ１４は、上記のように、収容クレードル１３に設置され、正面ヘッド部９に固定される。
【００６４】
オン／オフキッカースイッチ１２は、電源に接続される。所望であれば、取り外し可能なコネクタをキッカースイッチ１２と電源との間に設けて、バキューム装置１の取り付けおよび取り外しをさらに簡略化することができる。
【００６５】
床面に集積した埃または汚れを空気吸入口１０の領域の方向に簡単に掃き、オン／オフキックスイッチ１２を操作して吸引モータ１７を作動させる。使用者は、バキューム装置１を作動させるべく屈む必要も、バキューム装置１を埃または破片の方に移動させる必要もない。汚れおよび埃は、空気吸入口１０を介してバキューム装置１に吸引され、正面ヘッド部９およびスルーボア５３を介してダストバッグ１４に吸引される。ダストバッグ１４が一杯になったら、枢支可能な取り外しハンドル４８を引っ張って正面ヘッド部９を筐体２から取り外し、収容クレードル１３を筐体２から引き出すだけで、収容クレードル１３を筐体２から取り外すことができる。次に、ダストバッグ１４を交換するだけである。
【００６６】
空気排出口２３が、必要に応じて装置からたとえば正面（Ｕ形状導管５９を使用して）、背面、側面、斜め等の任意の方向に通気または排気するべく位置付けられるように、必要に応じて導管５９の配置および形状を決定してよいことは、当業者には理解されよう。
【００６７】
上記したように、バキューム装置は、住居において、食器棚等の下で使用するのに理想的に適した薄型形状であり、通常、高さは約１１０ｍｍ、正面の幅は約３１５ｍｍ、背面の幅は約２８０ｍｍ、奥行きは約３９０ｍｍである。
【００６８】
全てのバキューム装置と同様に、本発明のバキューム装置１は、減圧状態が効果的に生成され、その結果モータ１７および１８によって吸引が実行されるようにするべく、その全体に、たとえば、ガスケットシール、Ｕチャネルシール等の適切なシールを取り付けることができる。
【００６９】
バキューム装置で使用されるフィルタは、ＨＥＰＡフィルタ、フォームフィルタ（ｆｏａｍ  ｆｉｌｔｅｒ）、カードボードフィルタ等の任意の適切な種類のものであってよい。
【００７０】
本発明の第一実施形態と同様に、所望であれば、ダストバッグ１４を備えるのではなく、バッグ無し容器システムを本発明のバキューム装置で採用することができる。
【００７１】
通常、本発明のバキューム装置で使用されるモータは、ワット数が約４００ワットから約６００ワットであるが、必要に応じて、ワット数を大きくすることができ、モータは、好ましくは、最大径が約９０ｍｍである。本発明のバキューム装置で使用するのに適したモータは、Ｓｕｚｈｏｕ  Ｋａｉｂａｏ  Ｅｌｅｃｔｒｉｃ  Ｃｏｍｐａｎｙ  Ｌｔｄ．が提供する型番ＫＢＶＭ１１１０である。
【００７２】
たとえば、ＩＲモーションセンサースイッチ等のその他のオン／オフキッカースイッチ部材を使用することができることは理解されよう。採用することができるその他のスイッチ部材には、磁気スイッチおよび電子スイッチがある。たとえば、磁気スイッチは、スイッチと通信することができるチップを含むブラシヘッドに設けられた取り外し可能なリングによって作動させることができる。
【００７３】
本発明のバキューム装置は、プラスチック、金属等の任意の適切な材料から製造することができる。
【００７４】
本発明は、本発明の範囲から逸脱することなく変更もしくは多様化することができる本明細書に記載の実施形態に限定されない。
【図１】
2014503266.tif 000003
【図２】
2014503266.tif 000004
【図３】
2014503266.tif 000005
【図４】
2014503266.tif 000006
【図５】
2014503266.tif 000007
【図６】
2014503266.tif 000008
【図７】
2014503266.tif 000009
【図８】
2014503266.tif 000010
【図９】
2014503266.tif 000011
【図１０】
2014503266.tif 000012
【図１１】
2014503266.tif 000013
【図１２】
2014503266.tif 000014
【図１３】
2014503266.tif 000015
【図１４】
2014503266.tif 000016
【図１５】
2014503266.tif 000017
【国際調査報告】
2014503266.tif 000018
2014503266.tif 000019
2014503266.tif 000020